(57)【特許請求の範囲】
【請求項１】
商品・サービス提供者でのポイント情報データが記憶されている特典情報記憶手段と、
前記特典情報記憶手段に記憶されている前記ポイント情報データを利用者の移動体通信機器に送信することで該移動体通信機器に前記ポイント情報データを報知する特典情報報知手段と、
前記商品・サービス提供者の位置までの移動が完了されたことを示す広告情報利用データを前記利用者の移動体通信機器から受信する移動完了確認手段と、
前記商品・サービス提供者の店舗において前記利用者が精算したことを示す精算金額データ及び前記利用者を特定する特定データを受信して記憶する取引管理手段と、
前記広告情報利用データ及び前記精算金額データ及び特定データに基づいて、前記利用者が前記商品・サービス提供者の店舗の位置までの移動が完了した時刻と、前記商品・サービス提供者の店舗において前記利用者が精算した時刻との時刻の差を検出する関連性検出手段と、
前記関連性検出手段によって検出された時刻の差に基づいて、管理サーバに記憶されている利用者毎のポイントデータに前記ポイント情報データを加算して変更記憶する特典提供手段と
を備えたことを特徴とする移動体特典情報提供システム。
【請求項２】
請求項１に記載の移動体特典情報提供システムにおいて、
前記商品・サービス提供者の広告情報を前記移動体通信機器に配信する広告情報配信手段を備え、前記広告情報は、広告提供位置データと、その広告提供位置で提供する広告内容の広告データと、その広告が示す所在地の誘導位置データと、前記広告提供位置データ及び誘導位置データに基づき、これら位置データ間の経路探索を実行してその経路における移動距離が演算されてなる距離データと、該距離データによって演算されるポイント情報データを含み、
前記特典提供手段によって加算されるポイント情報データは、前記移動体通信機器による前記商品・サービス提供者の位置までの経路探索が行われた時点での前記距離データに応じて異なることを特徴とする移動体特典情報提供システム。
【請求項３】
請求項１に記載の移動体特典情報提供システムにおいて、
前記商品・サービス提供者の広告情報を前記移動体通信機器に配信する広告情報配信手段を備え、前記広告情報は、広告提供位置データと、その広告提供位置で提供する広告内容の広告データと、その広告が示す所在地の誘導位置データと、前記広告提供位置データ及び誘導位置データに基づき、これら位置データ間の経路探索を実行してその経路における移動距離が演算されてなる距離データと、該距離データによって演算されるポイント情報データを含み、
前記特典提供手段によって加算されるポイント情報データは、前記商品・サービス提供者の広告情報が前記移動体通信機器に配信された時点での前記距離データに応じて異なることを特徴とする移動体特典情報提供システム。
【発明の詳細な説明】
【０００１】
【発明の属する技術分野】
本発明は、現在位置の発信可能な移動体通信機器の利用者に対して特典情報を報知する特典情報提供システムに関するものである。
【０００２】
【従来の技術】
従来より、商店などの商品・サービス提供者は、例えば道路に沿って看板を設置するなどの広告を行うことで、歩行者若しくは走行中のドライバーを顧客として招き入れようとしている。
【０００３】
【発明が解決しようとする課題】
しかしながら、このような広告を行ったとしても、例えば当該広告の示す所在地（商品・サービス提供者の位置）までが比較的遠い場合には、その広告の効果は薄れ、集客力が低下することとなる。
【０００４】
本発明の目的は、商品・サービス提供者の集客力を向上することができる移動体特典情報提供システムを提供することにある。
【０００５】
【課題を解決するための手段】
上記問題点を解決するために請求項１に記載の発明は、商品・サービス提供者でのポイント情報データが記憶されている特典情報記憶手段と、前記特典情報記憶手段に記憶されている前記ポイント情報データを利用者の移動体通信機器に送信することで該移動体通信機器に前記ポイント情報データを報知する特典情報報知手段と、前記商品・サービス提供者の位置までの移動が完了されたことを示す広告情報利用データを前記利用者の移動体通信機器から受信する移動完了確認手段と、前記商品・サービス提供者の店舗において前記利用者が精算したことを示す精算金額データ及び前記利用者を特定する特定データを受信して記憶する取引管理手段と、前記広告情報利用データ及び前記精算金額データ及び特定データに基づいて、前記利用者が前記商品・サービス提供者の店舗の位置までの移動が完了した時刻と、前記商品・サービス提供者の店舗において前記利用者が精算した時刻との時刻の差を検出する関連性検出手段と、前記関連性検出手段によって検出された時刻の差に基づいて、管理サーバに記憶されている利用者毎のポイントデータに前記ポイント情報データを加算して変更記憶する特典提供手段と特典提供手段とを備えたことを要旨とする。
【０００８】
請求項２に記載の発明は、請求項１に記載の移動体特典情報提供システムにおいて、前記商品・サービス提供者の広告情報を前記移動体通信機器に配信する広告情報配信手段を備え、前記広告情報は、広告提供位置データと、その広告提供位置で提供する広告内容の広告データと、その広告が示す所在地の誘導位置データと、前記広告提供位置データ及び誘導位置データに基づき、これら位置データ間の経路探索を実行してその経路における移動距離が演算されてなる距離データと、該距離データによって演算されるポイント情報データを含み、前記特典提供手段によって加算されるポイント情報データは、前記移動体通信機器による前記商品・サービス提供者の位置までの経路探索が行われた時点での前記距離データに応じて異なることを要旨とする。
【０００９】
請求項３に記載の発明は、請求項１に記載の移動体特典情報提供システムにおいて、前記商品・サービス提供者の広告情報を前記移動体通信機器に配信する広告情報配信手段を備え、前記広告情報は、広告提供位置データと、その広告提供位置で提供する広告内容の広告データと、その広告が示す所在地の誘導位置データと、前記広告提供位置データ及び誘導位置データに基づき、これら位置データ間の経路探索を実行してその経路における移動距離が演算されてなる距離データと、該距離データによって演算されるポイント情報データを含み、前記特典提供手段によって加算されるポイント情報データは、前記商品・サービス提供者の広告情報が前記移動体通信機器に配信された時点での前記距離データに応じて異なることを要旨とする。
【００１２】
【発明の実施の形態】
以下、本発明を具体化した一実施形態を図面に従って説明する。
図１は、移動体特典情報提供システムのしくみの概略構成図を示す。同図に示されるように、このシステムは、大きくは利用者としての広告情報利用者／カード会員１と、広告依頼主／商品・サービス提供者２と、クレジットカード会社３と、ネットワークナビセンタ１０とからなる。
【００１３】
広告情報利用者／カード会員１は、上記ネットワークナビセンタ１０に対して後述の現在位置情報ＡＰＩを発信するとともに、発信された現在位置情報ＡＰＩに基づき同ネットワークナビセンタ１０から後述の広告情報ＡＤＩを配信してもらう契約を同ネットワークナビセンタ１０と結んでいる。
【００１４】
又、この広告情報利用者／カード会員１は、上記ネットワークナビセンタ１０との契約に併せて同ネットワークナビセンタ１０と所定の契約関係にあるクレジットカード会社３とクレジットカードの利用契約を結んでいる。従って、この広告情報利用者／カード会員１がクレジットカードを利用して商品・サービスの提供を受けると、同広告情報利用者／カード会員１に対して、上記クレジットカード会社３から例えば、郵送にてその利用代金が請求されるとともに、併せてクレジットカードの利用状況（例えば、利用金額）等に基づくサービスポイントが付与・連絡される。そして、広告情報利用者／カード会員１は、上記クレジットカード会社３との間で予め決めておいた銀行口座から提供された商品・サービスに応じた金額を引き落としてもらうなどしてその利用代金を精算する。尚、広告情報利用者／カード会員１は、上記付与されたサービスポイントを所定の条件で蓄積し、その累計が所定数に達した場合には、例えばクレジットカード会社３から同ポイント数に見合った商品と引き替えてもらうことができる。広告情報利用者／カード会員１がクレジットカード会社３との間でポイント数に見合った商品と引き替えてもらうと、その分のサービスポイントが消費される。
【００１５】
上記広告依頼主／商品・サービス提供者２は、上記ネットワークナビセンタ１０から案内される入力案内情報ＧＡＩに従って同ネットワークナビセンタ１０から広告情報利用者／カード会員１に発信してもらう広告情報ＡＤＩを入力するとともに、同広告情報ＡＤＩの発信依頼の契約を同ネットワークナビセンタ１０と結んでいる。又、この広告依頼主／商品・サービス提供者２は、上記クレジットカード会社３と加盟店契約を結んでいる。従って、上記広告情報利用者／カード会員１からクレジットカードの提示を受けると、例えば同広告情報利用者／カード会員１の信用を照会した上で同広告情報利用者／カード会員１に対して商品・サービスを提供する。そして、この広告依頼主／商品・サービス提供者２は、上記広告情報利用者／カード会員１のクレジットカードの利用により商品・サービスを提供すると、上記クレジットカード会社３に対して例えば、郵送にてその利用代金を請求する。そして、クレジットカード会社３は、上記広告依頼主／商品・サービス提供者２との間で予め決めておいた銀行口座に手数料を除いた金額を振り込むなどしてその利用代金を精算する。
【００１６】
上記ネットワークナビセンタ１０は、広告情報利用者／カード会員１から発信された現在位置情報ＡＰＩに応じて上記広告依頼主／商品・サービス提供者２から提供された広告情報ＡＤＩを配信する。
【００１７】
又、このネットワークナビセンタ１０は、上記クレジットカード会社３と所定の契約関係にあり、広告情報利用者（広告情報利用者／カード会員１）を特定する後述の情報（広告情報利用者認証データのＩＤコード）を同クレジットカード会社３との間で共有している。さらに、ネットワークナビセンタ１０は、広告依頼主（広告依頼主／商品・サービス提供者２）を特定する後述の情報（広告依頼主認証データのＩＤコード）を同クレジットカード会社３との間で共有している。そして、ネットワークナビセンタ１０は、上記広告情報利用者／カード会員１への広告情報ＡＤＩの配信により同広告情報利用者／カード会員１が当該広告依頼主／商品・サービス提供者２の位置まで移動したことを後述の態様で確認すると、当該広告情報利用者／カード会員１を特定する情報（広告情報利用者認証データのＩＤコード）、当該広告依頼主／商品・サービス提供者２を特定する情報（広告依頼主認証データのＩＤコード）及びそのときの移動距離に応じた後述のポイント情報を同クレジットカード会社３に送信する。従って、クレジットカード会社３は、これら広告情報利用者認証データのＩＤコード及び広告依頼主認証データのＩＤコードと、広告依頼主／商品・サービス提供者２からの利用代金請求書の内容、すなわち利用されたクレジットカードの番号に対応するカード会員（広告情報利用者／カード会員１）のＩＤコード及び当該カード利用に係る加盟店（広告依頼主／商品・サービス提供者２）のＩＤコードとをそれぞれ照合する。そして、後述する所定の条件での関連性が確認されると上記ポイント情報を加算したものをサービスポイントとして、同広告情報利用者／カード会員１に対して付与する。
【００１８】
次に、この移動体特典情報提供システムにより構築される情報ネットワークについて図２を参照して説明する。
図２において、コンピュータシステムを備えたネットワークナビセンタ１０は、広告情報利用者（広告情報利用者／カード会員１）の自動車１１に搭載された移動体通信機器１２との間で、利用者が取得したい広告情報ＡＤＩや、センタ１０に知らせる自身（自車）の現在位置情報ＡＰＩ等を含む各種情報の授受を行うようになっている。詳述すると、移動体通信機器１２からの各種情報は、同通信機器１２のアンテナ１３から電波信号となって発信される。この電波信号は携帯電話基地局１４の基地局アンテナ１５で受信され一般電話回線網１６を介してネットワークナビセンタ１０に送信される。反対に、ネットワークナビセンタ１０からの各種情報は、一般電話回線網１６を介して携帯電話基地局１４の基地局アンテナ１５から電波信号となって発信される。このセンタ側の電波信号は移動体通信機器１２のアンテナ１３にて受信され同移動体通信機器１２に送信される。つまり、ネットワークナビセンタ１０は、自動車１１に搭載された移動体通信機器１２とはいわゆる無線インターネットで接続されている。又、自動車１１等の移動体通信機器１２とネットワークナビセンタ１０との間に一般電話回線網１６を介さずに、移動体通信機器側に無線送受信機とＴＡ（ターミナルアダプタ；Terminal Adapter）とＤＳＵ（デジタルサービスユニット；Digital Service Unit）を備えて、移動体通信機器１２とネットワークナビセンタ１０とを直接無線インターネットにて接続する手法でもよい。
【００１９】
又、ネットワークナビセンタ１０はインターネット１７を介して各広告依頼主（広告依頼主／商品・サービス提供者２）のパソコン１８と接続されるようになっている。そして、ネットワークナビセンタ１０は、パソコン１８との間で、各広告依頼主（広告依頼主／商品・サービス提供者２）が選択した広告提供位置に広告を提供するための広告情報ＡＤＩ及びこの広告情報ＡＤＩの入力の仕方を各広告依頼主（広告依頼主／商品・サービス提供者２）に対して案内する入力案内情報ＧＡＩ等を含む各種情報の授受を行うようになっている。尚、各広告依頼主（広告依頼主／商品・サービス提供者２）のパソコン１８に無線通信機能を備えているものであれば無線インターネットを介してパソコン１８とネットワークナビセンタ１０とを接続してもよい。勿論、広告依頼主（広告依頼主／商品・サービス提供者２）は、携帯電話機を使用してネットワークナビセンタ１０と各種情報の授受を行うようにしてもよい。
【００２０】
さらに、ネットワークナビセンタ１０は、上記クレジットカード会社３との間でインターネット１７を介して各種情報の授受を行うようになっている。詳述すると、ネットワークナビセンタ１０は、広告情報利用者／カード会員１への広告情報ＡＤＩの配信により同広告情報利用者／カード会員１が当該広告依頼主／商品・サービス提供者２の位置まで移動完了したことを確認した各案件について、当該広告情報利用者／カード会員１を特定する情報（広告情報利用者認証データのＩＤコード）、当該広告依頼主／商品・サービス提供者２を特定する情報（広告依頼主認証データのＩＤコード）及びそのときの移動距離に応じたポイント情報をインターネット１７を介して上記クレジットカード会社３に送信する。尚、ネットワークナビセンタ１０は上記に準じた無線インターネットを介して上記クレジットカード会社３との間で各種情報の授受を行うようにしてもよい。
【００２１】
ネットワークナビセンタ１０は、図３に示すように、広告情報配信手段を構成するサーバ群２１及びデータ変換装置２２を備えている。サーバ群２１は、マップサーバ２３、広告依頼主・広告情報利用者サーバ２４、広告提供位置・広告情報サーバ２５、課金サーバ２６、認証サーバ２７、ポイント情報サーバ２８、管理サーバ２９を備えている。
【００２２】
マップサーバ２３は、地図データ（道路地図、住宅地図、建物形状地図等）、交差点データ、住所データ等を記憶管理している。
広告依頼主・広告情報利用者サーバ２４は、道路沿線上の所定の広告提供位置において広告情報利用者（広告情報利用者／カード会員１）に広告を提供する広告依頼主（広告依頼主／商品・サービス提供者２）の広告依頼主データや、その広告を利用する広告情報利用者の広告情報利用者データを記憶管理している。広告依頼主データは名前データ、住所データ、業務内容データ（広告が提供する業種、例えば飲食業、自動車販売、コンビニ、内科、ホテルといったデータ）からなる。広告情報利用者データは、名前データ、住所データ、年齢データ、性別データ、職業データ、携帯電話番号、自動車１１のメーカデータ、車種（セダン、ＲＶ車等）データ、車名データからなる。
【００２３】
広告提供位置・広告情報サーバ２５は、広告提供位置データと、その広告提供位置で提供する広告内容の広告データ、その広告が示す所在地の誘導位置データ、広告提供位置からその広告が示す所在地までの距離データ、及び、同距離データに応じて予め設定されたポイント情報データを記憶管理している。広告提供位置データは、本実施形態ではマップサーバ２３に記憶された地図データ上で特定される位置であって、緯度と経度で表現される。広告データは、本実施形態では商号、愛称、業務内容、商品名又は案内図の広告を描画するための広告画像データと広告情報利用者（広告情報利用者／カード会員１）に広告を声で知らせるための広告音声データから構成されている。誘導位置データは、本実施形態では広告提供位置データと同様に、マップサーバ２３に記憶された地図データ上で特定される位置であって、緯度と経度で表現される。距離データは、例えば幹線道路に沿った広告提供位置からその広告が示す所在地までの概略距離である。ポイント情報データは、距離データに応じて、例えば１ｋｍ当たり１ポイントとなるように設定されている。
【００２４】
又、広告提供位置・広告情報サーバ２５は、広告提供位置をどちらの方向から走行し通過する広告情報利用者（広告情報利用者／カード会員１）に対して広告を提供するか選択するための走行方向データを記憶管理している。そして、本実施形態では、この走行方向データ、広告提供位置データ、広告データ（広告画像データ、広告音声データ）、誘導位置データ、距離データ及びポイント情報データを広告情報としている。
【００２５】
さらに、広告提供位置・広告情報サーバ２５は前記広告を提供する際の配信条件である配信条件データを記憶管理している。配信条件データは、本実施形態では提供期間データ、提供時間帯データ、年齢層データ、性別データ、自動車メーカ別データ、車種別データ及び車名データとから構成されている。
【００２６】
提供期間データは、広告を提供する提供期間、例えば８月１日〜１２月３１日といったデータである。提供時間帯データは広告を提供する提供時間帯、例えば午前１０時００分から午後９時３０分といったデータである。年齢層データは広告を提供する広告情報利用者の年齢層、例えば１８歳〜５５歳といったデータである。性別データは広告を提供する利用者の性別、例えば男性といったデータである。自動車メーカ別データは、広告を提供する広告情報利用者の所有している自動車１１のメーカのデータである。車種別データは、広告を提供する広告情報利用者の所有している自動車１１の車種であって、例えばセダン、ＲＶ車といったデータである。車名データは、広告を提供する広告情報利用者の所有している自動車１１の車名である。
【００２７】
課金サーバ２６は、広告情報利用者に提供する広告の配信価格の価格データを記憶管理している。価格データは、本実施形態では提供位置価格データ、提供期間価格データ及び提供時間帯価格データとから構成されている。提供位置価格データは広告提供位置の価格であって、前記マップサーバ２３に記憶された地図データ上の各位置、例えば道路沿線上の全ての位置についてそれぞれ予め決定されている。提供期間価格データは広告を提供する提供期間の価格であってそれぞれ期間によって予め決定されている。提供時間帯価格データは広告を提供する提供期間帯の価格であってそれぞれ時間帯によって予め決定されている。
【００２８】
又、課金サーバ２６は各広告毎にその広告が各広告情報利用者に配信された配信回数の配信回数データ、広告依頼主に対して請求する広告配信料の広告配信料データ及び各広告毎にその広告の提供を受けた広告情報利用者の利用者リストデータを記憶管理している。
【００２９】
認証サーバ２７は、広告依頼主のＩＤコード、パスワード及び広告配信料を引き落とすための銀行口座番号からなる広告依頼主認証データ及び広告情報利用者のＩＤコード及びパスワードからなる広告情報利用者認証データを記憶管理している。
【００３０】
ポイント情報サーバ２８は、広告情報利用者が提供された広告情報に従ってその広告が示す所在地まで移動完了したことを各広告情報利用者ごと、当該広告情報に基づく各移動ごとに表す広告情報利用データ及び各広告情報利用データごとの当該広告情報に設定されたポイント情報データを記憶管理している。
【００３１】
管理サーバ２９は各サーバ２３〜２８を統括管理するサーバであって、インターネット１７を介して各広告依頼主のパソコン１８及びクレジットカード会社３と接続されているとともに、データ変換装置２２、一般電話回線網１６及び携帯電話基地局１４を介して移動体通信機器１２と接続されている。管理サーバ２９は記憶部を備え、同記憶部には広告情報登録プログラム、広告情報配信プログラム、広告情報課金プログラム及びポイント情報プログラムを記憶している。
【００３２】
そして、管理サーバ２９は、この広告情報登録プログラム、広告情報配信プログラム、広告情報課金プログラム及びポイント情報プログラムに従って各種演算処理動作を実行する。広告情報登録プログラムは、移動体通信機器１２を所有する広告情報利用者に提供する広告を、各パソコン１８を使用してネットワークナビセンタ１０に登録するためのプログラムである。広告情報配信プログラムは、パソコン１８にて登録した広告をネットワークナビセンタ１０から広告情報利用者が所有する移動体通信機器１２に配信するためのプログラムである。広告情報課金プログラムは、広告情報利用者に広告を配信したことによって生ずる広告配信料を演算しその広告配信料を広告依頼主に請求するためのプログラムである。ポイント情報プログラムは、広告情報利用者が提供された広告情報に従ってその広告が示す所在地まで移動したことを後述の態様で確認し、この確認を条件として上記ポイント情報サーバ２８に当該広告情報利用データ及びそのときのポイント情報データを記憶するためのプログラムである。
【００３３】
ここで、広告情報登録プログラムに基づく広告の登録手順を説明する。まず、インターネット１７を介してパソコン１８からネットワークナビセンタ１０に対してアクセスがあると、管理サーバ２９は広告情報登録プログラムに基づいて広告依頼者のパソコン１８に対して広告申し込みのための処理を実行する。
【００３４】
管理サーバ２９は、広告情報登録プログラムに基づいてマップサーバ２３から前記地図データ、交差点データ、住所データ等を読み出してパソコン１８に出力するとともに、広告提供位置の選択を指示するための表示データをパソコン１８に出力する。パソコン１８はその地図データ等に基づいてパソコン１８の表示画面に地図を表示するとともに広告提供位置を選択する旨の表示をして、広告依頼主に対して広告提供位置を選択させる。このとき、広告依頼主が案内ルートを指定したい場合は、パソコン１８の画面において案内ルートを設定可能とする。
【００３５】
具体的には、管理サーバ２９は、車載用ナビゲーション装置の地図表示と同様に、パソコン１８のキー操作又はマウス操作に基づいて広域地図から詳細地図へと拡大表示させるとともにスクロールさせながら目的の広告提供位置が示されている地図をパソコン１８の表示画面に表示させる。
【００３６】
例えば、図９に示すように、パソコン１８の表示画面１８ａに目的の広告提供位置が示された地図３０が表示されると、管理サーバ２９はパソコン１８のキー操作又はマウス操作に基づいて広告提供位置に矢印形状のカーソル３１にて指定する旨を表示する。広告依頼主は、パソコン１８のキー又はマウスを操作して地図３０に示された道路上の広告提供位置にカーソル３１をあわせて選択する。このとき、矢印形状のカーソル３１の向きも道路に沿ってあわせて選択する。これは走行方向の選択であって、広告提供位置をどちらの方向から走行して来る利用者に対して広告を提供するかを選択するためである。又、表示画面１８ａ上に建造物の外形を表示した住宅地図を表示し、少なくとも１つの外形領域を選択することにより、広告提供位置を選択するようにしてもよい。
【００３７】
又、広告提供位置を両方向から通過する利用者に対して広告を提供する場合には、パソコン１８のキー又はマウスにて両方向とも選択する旨の選択操作する。さらに、十字路等の交差点の各コーナを選択する場合は、交差点内にカーソル３１をあわせることによって選択されるようになっている。
【００３８】
パソコン１８にて広告提供位置を選択すると、管理サーバ２９はパソコン１８の表示画面１８ａに広告を利用者に提供する範囲を示す表示を行う。本実施形態では、図１０に示すように、カーソル３１を囲む四角枠３２を表示し四角枠３２の範囲内で広告が提供される旨を知らせる。従って、広告依頼者は広告を利用者に提供する範囲が確認できることになる。尚、図１１は、十字路の各コーナを選択した場合の四角枠３２の表示状態を示す。
【００３９】
広告提供位置を選択しその位置を決定するためにキー又はマウスにて決定操作すると、管理サーバ２９は同管理サーバ２９内の記憶装置に広告提供位置の広告提供位置データと走行方向の走行方向データを一時記憶する。
【００４０】
続いて、管理サーバ２９は、広告依頼主のパソコン１８に対して広告提供位置からその広告内容の所在地まで誘導する案内経路を提供するかどうかを選択させるための表示を出す。そして、パソコン１８をキー操作又はマウス操作して案内経路の提供を選択すると、管理サーバ２９は前記広告提供位置の選択と同様に地図データ等をパソコン１８に出力しパソコン１８の表示部に地図を表示させる。
【００４１】
広告依頼主は、パソコン１８のキー又はマウスを操作して地図３０に示された道路上の誘導する所在地（誘導位置）にカーソル３１をあわせて前記と同様に選択し決定操作する。管理サーバ２９は、同管理サーバ２９内の記憶装置に誘導位置の誘導位置データを一時記憶する。
【００４２】
続いて、管理サーバ２９は上記選択・記憶された広告提供位置データ及び誘導位置データに基づき、これら位置データ間の経路探索を実行し、その移動距離を距離データとして演算する。又、管理サーバ２９は上記距離データに基づきポイント情報データを演算する。例えば、管理サーバ２９は距離データが１ｋｍ当たり１ポイントとなるようにポイント情報データを演算する。そして、管理サーバ２９は、この演算された距離データ及びポイント情報データを同管理サーバ２９の記憶装置に一時記憶する。
【００４３】
誘導位置を選択するキー又はマウスを操作すると、又は、誘導位置を選択しないキー又はマウスを操作すると、管理サーバ２９は広告依頼主のパソコン１８に対して広告提供位置で提供する広告の広告画像データを要求する表示を出す。このとき、管理サーバ２９は広告提供位置で提供する音声による広告の音声メッセージもあわせて要求する表示を出す。
【００４４】
尚、誘導位置を選択するキー又はマウスが操作されている場合、これら広告画像データ及び広告音声データを要求する表示には、上記距離データに基づくポイント情報データでのポイント付与を行うかどうかの選択を促す表示も含まれている。
【００４５】
広告依頼者はこれに応答してパソコン１８から提供する広告の広告画像データ及び音声による広告音声データを管理サーバ２９に出力する。いうまでのもなく、これら広告画像データ及び広告音声データは、誘導位置を選択するキー又はマウスが操作されている場合、上記距離データに基づくポイント情報データでのポイント付与を行うかどうかの選択結果に応じたものとなっている。管理サーバ２９は、広告画像データ及び広告音声データを同管理サーバ２９の記憶装置に前記広告提供位置データ、走行方向データ及び誘導位置データとともに一時記憶する。
【００４６】
続いて、管理サーバ２９は、次に広告依頼主のパソコン１８の表示画面１８ａに提供する広告の提供期間、提供時間帯、広告を提供する利用者の年齢層、広告を提供する利用者の性別、広告を提供する利用者が所有する自動車メーカ、その車種及び車名等、配信条件を選択させるための表示を出す。
【００４７】
広告依頼主は、パソコン１８のキー又はマウスを操作して広告を提供する提供期間、提供時間帯、広告を提供する利用者の年齢層、広告を提供する利用者の性別、広告を提供する利用者が所有する自動車メーカ、その車種及び車名を設定する。例えば、提供期間を「２０××年４月１日〜２０××年１０月１４日」、提供時間帯を「午前１０時００分〜午後９時３０分」と設定する。又、年齢層を「２０才〜５５才」、性別を「男女共」と設定する。さらに、自動車メーカを「○△□自動車工業」、車種を「ＲＶ車」、車名を「○△□」と設定する。そして、配信条件の設定が完了すると、管理サーバ２９は、同管理サーバ２９内の記憶装置にその設定した提供期間データ、提供時間帯データ、年齢層データ、性別データ、自動車メーカ別データ、車種別データ及び車名データを一時記憶する。
【００４８】
続いて、管理サーバ２９は広告依頼主が選択した広告提供位置、提供期間、提供時間帯から広告配信価格を演算する。詳述すると、管理サーバ２９は課金サーバ２６に記憶した価格データを読み出し、提供位置価格データから選択した広告提供位置の価格（広告提供位置価格）、提供期間価格データから選択した提供期間の価格（提供期間価格）及び提供時間帯価格データから選択した提供時間帯の価格（提供時間帯価格）を演算する。
【００４９】
広告配信価格（＝広告提供位置価格＋提供期間価格＋提供時間帯価格）が演算されると、管理サーバ２９は広告依頼主のパソコン１８に広告配信価格とその明細を表示するとともに、広告依頼主に対してこの配信価格で登録するかどうか選択させるための表示をする。
【００５０】
登録は、広告依頼主の名前（名称）、住所、ＩＤコード、パスワード及び銀行口座番号を選定することによって行われる。広告依頼主がパソコン１８のキー又はマウスを操作して名前（名称）、住所、業務内容、ＩＤコード、パスワード及び銀行口座番号を登録すると、管理サーバ２９は一時記憶していた各データを対応するサーバ２４〜２７に記憶する。詳述すると、広告依頼主の名前（名称）、業務内容及び住所等の広告依頼主データは広告依頼主・広告情報利用者サーバ２４に記憶される。広告提供位置データ、走行方向データ、誘導位置データ、距離データ、ポイント情報データ、広告データ（広告画像データ、広告音声データ）、提供期間データ、提供時間帯データ、年齢層データ、性別データ、自動車メーカ別データ、車種別データ及び車名データは広告提供位置・広告情報サーバ２５に記憶される。ＩＤコード、パスワード及び銀行口座番号の依頼主認証データは認証サーバ２７に記憶される。
【００５１】
パスワードの登録が完了すると、広告依頼主によるネットワークナビセンタ１０への広告の登録が全て終了する。つまり、広告情報登録プログラムの処理動作が終了する。そして、管理サーバ２９は、移動体通信機器１２からの現在位置情報ＡＰＩに応答して広告情報配信プログラムを実行し、広告提供位置・広告情報サーバ２５から広告情報ＡＤＩ（本実施形態では広告提供位置データ、走行方向データ、誘導位置データ、距離データ、ポイント情報データ、広告画像データ、広告音声データ）を読み出して移動体通信機器１２に配信する。
【００５２】
この時、管理サーバ２９は、読み出した配信のための広告情報ＡＤＩをデータ変換装置２２にてデータ変換して一般電話回線網１６を介して携帯電話基地局１４に出力する。そして、広告情報ＡＤＩは携帯電話基地局１４から移動体通信機器１２に配信される。尚、データ変換装置２２は、管理サーバ２９から読み出された広告情報ＡＤＩを一般電話回線網１６を介して携帯電話基地局１４に出力されることを可能にするための信号処理回路である。又、データ変換装置２２は、一般電話回線網１６から管理サーバ２９に出力される情報を管理サーバ２９が受信可能にする信号処理回路でもある。
【００５３】
尚、広告依頼主は、広告情報ＡＤＩ等を変更したいときには、ネットワークナビセンタ１０にアクセスし、ＩＤコード及びパスワードを入力した後、所望のデータを変更することができる。
【００５４】
又、広告依頼主・広告情報利用者サーバ２４において記憶管理される広告情報利用者（広告情報利用者／カード会員１）の広告情報利用者データは、本実施形態では、広告情報利用者がネットワークナビセンタ１０に対して申請書を提出することによって行われる。つまり、申請書に従ってネットワークナビセンタ１０においてパソコンを操作して、名前、住所、年齢、性別、職業、携帯電話番号、自動車１１のメーカ、車種及び車名からなる広告情報利用者データが広告依頼主・広告情報利用者サーバ２４に記憶される。この時、ＩＤコード及びパスワードからなる利用者認証データもあわせて入力されて、認証サーバ２７に記憶される。従って、広告情報利用者は、以後住所や携帯電話番号等を変更したいときには、インターネット１７を介してパソコン又は携帯電話機を使用して変更することができる。尚、広告情報利用者は、広告情報利用者データの申請を申請書を提出しないでオンライン申請で行うことも勿論可能である。
【００５５】
次に、ネットワークナビセンタ１０に登録された広告が配信される自動車１１に搭載された移動体通信機器１２について説明する。
移動体通信機器１２は車両用ナビゲーション装置４１にて構成され、その車両用ナビゲーション装置４１は、図４に示すように入出力装置４２、現在位置検出装置４３、情報記憶装置４４及び主制御装置４５を備えている。
【００５６】
入出力装置４２は、目的地を入力したり、ドライバーが必要なときに案内情報を音声や画面から出力できるようにドライバーの意志によりナビゲーション処理を主制御装置４５に指示する装置である。又、入出力装置４２は、ネットワークナビセンタ１０に登録された広告情報ＡＤＩを利用し、ドライバーが必要なときに広告を音声や画面から出力できるように主制御装置４５に指示する装置である。
【００５７】
入出力装置４２は、タッチスイッチ５１、キースイッチ（ジョグキー及び電源スイッチ）５２、ディスプレイ５３、スピーカ５４、プリンタ５５を備えている。タッチスイッチ５１は、ディスプレイ５３の画面５３ａ上に設けられ、目的地や電話番号や地図上の現在位置等や、経路案内（広告内容の所在地まで誘導する案内経路も含む）をリクエストする。キースイッチ５２は、ディスプレイ５３の周辺に設けられ、前記タッチスイッチ５１と同様に目的地や電話番号や地図上の現在位置等や、経路案内をリクエストする。
【００５８】
ディスプレイ５３は、カラー液晶ディスプレイであって、地図データや描画データに基づいて画面５３ａに図６〜図８に示すように地図５３ｂや広告５３ｃを表示したり、ドライバーのリクエストに応じて自動的に経路案内を画面５３ａで表示する。スピーカ５４は、経路案内を音声で出力するとともに、広告音声データに基づいて広告メッセージを音声で出力する。プリンタ５５は、主制御装置４５で処理したデータを記録紙に記録する。
【００５９】
現在位置検出装置４３は、車両の現在位置に関する情報を検出、或いは、受信する装置である。現在位置検出装置４３は、ＧＰＳ受信装置５６、絶対方位センサ５７、相対方位センサ５８、距離センサ５９、ＶＩＣＳ（道路交通情報通信システム；Vehicle Information and Communication System）受信装置６０、ＡＴＩＳ送受信装置６１及び携帯電話機６２を備えている。
【００６０】
ＧＰＳ受信装置５６は、衛星航法システム（ＧＰＳ；Global Positioning System ）を利用して車両の現在位置や、車両方位、車両速度等を検出する。絶対方位センサ５７は、地磁気センサなどで構成されている。相対方位センサ５８は、ステアリングセンサ、ジャイロなどで構成されている。距離センサ５９は、車輪の回転数から走行距離を算出する。
【００６１】
ＶＩＣＳ受信装置６０は、ＦＭ多重、電波ビーコン、光ビーコンによって道路情報を受信する受信装置である。ＡＴＩＳ送受信装置６１は、ドライバーの要求により、交通情報センタ（ＡＴＩＳ；Advanced Traffic Information Service）との間でのナビゲーションに必要な情報のやりとりを行う送受信装置である。
【００６２】
携帯電話機６２は、一般電話回線網１６を介して携帯電話基地局１４のアンテナ１５から発信されるネットワークナビセンタ１０からの広告情報（広告提供位置データ等）を受信する。又、携帯電話機６２は、車両用ナビゲーション装置４１が検出した自動車１１の現在位置の現在位置情報ＡＰＩを携帯電話基地局１４に発信し、一般電話回線網１６を介してその現在位置情報ＡＰＩをネットワークナビセンタ１０に送信するようになっている。更に、携帯電話機６２は、広告情報利用者／カード会員１であるドライバーがネットワークナビセンタ１０から提供された広告が示す所在地（誘導位置データ）までの案内表示を後述の態様で選択し、同案内に従って当該広告が示す所在地までの移動を完了すると、当該広告に対する広告情報利用データを同様にしてネットワークナビセンタ１０に送信するようになっている。
【００６３】
情報記憶装置４４は、ナビゲーションプログラム及びデータを記憶する。ナビゲーションプログラムは、地図描画部、経路探索部、経路案内部、現在位置計算部、目的位置設定操作制御部等からなり、ナビゲーションの信号処理を行うアプリケーション部及びＯＳ部で構成されている。つまり、経路探索などの処理を行うためのプログラムや、経路案内に必要な表示制御、音声案内に必要な音声出力制御を行うためのプログラム及びそれに必要なデータ、さらに、経路案内及び地図表示に必要な表示情報が格納されている。
【００６４】
具体的には、現在位置検出装置４３からの現在位置、タッチスイッチ５１又はキースイッチ５２からの入力信号に基づき目的地の設定、通過点を設定し、探索道路データを用いて経路探索を実行するプログラム、ＶＩＣＳ受信装置６０やＡＴＩＳ送受信装置６１から取得した交通情報に基づき探索道路データを変換し再度経路探索を実行させるプログラム、地図描画やマップマッチング、経路に沿って音声出力タイミングや音声フレーズを決定するためのプログラムである。
【００６５】
一方、データは、地図データ（道路地図、住宅地図、建物形状地図等）、交差点データ、ノードデータ、道路データ、写真データ、登録地点データ、目的地点データ、目的地読みデータ、電話番号データ、住所データ、その他のナビゲーション装置に必要な全てのデータである。尚、本実施形態では、このデータは、前記ネットワークナビセンタ１０のマップサーバ２３に記憶したデータと同じ内容のものであり、例えば道路データ、交差点データについては、マップサーバ２３内の道路データや交差点データの管理ナンバーを同一にしている。
【００６６】
又、情報記憶装置４４は、広告提供プログラムを記憶する。広告提供プログラムは、入出力装置４２のディスプレイ５３及びスピーカ５４に広告を出力するためのプログラムである。
【００６７】
具体的には、自動車１１の現在位置情報ＡＰＩを携帯電話機６２からネットワークナビセンタ１０に発信するためのプログラム、ネットワークナビセンタ１０からの広告情報ＡＤＩ（広告提供位置データ等）を携帯電話機６２にて受信させ、その受信した広告情報ＡＤＩを主制御装置４５に転送させるためのプログラム、自動車１１がネットワークナビセンタ１０に登録された走行方向から広告提供位置に到達した時、同ネットワークナビセンタ１０に登録された広告をディスプレイ５３及びスピーカ５４から出力するためのプログラム、ディスプレイ５３及びスピーカ５４に出力された広告に基づいてドライバーが広告提供位置からその広告内容の所在地（誘導位置）まで誘導する案内経路を選択させ且つ選択した時にその経路探索を実行するプログラム、案内に従って当該広告が示す所在地までの移動を完了すると、当該広告に対する広告情報利用データを携帯電話機６２からネットワークナビセンタ１０に発信するためのプログラムである。
【００６８】
主制御装置４５は、中央処理装置（ＣＰＵ）６５、フラッシュメモリ６６、ＲＯＭ６７、ＲＡＭ６８、画像メモリ６９、画像プロセッサ７０、音声プロセッサ７１、通信インタフェース７２、センサ入力インタフェース７３、時計７４を備えている。
【００６９】
ＣＰＵ６５は、種々の演算処理を実行する。フラッシュメモリ６６は、情報記憶装置４４から読み出したナビゲーションプログラム及び広告提供プログラムを格納する。ＲＯＭ６７は、フラッシュメモリ６６に格納したプログラムのプログラムチェック、更新処理を行うプログラムを格納している。
【００７０】
ＲＡＭ６８は、設定された目的地の地点座標、道路コードナンバー等、探索された経路案内情報や演算処理中のデータを一時格納する。又、ＲＡＭ６８は、前記携帯電話機６２が受信したネットワークナビセンタ１０から配信された広告情報ＡＤＩ（広告提供位置データ等）を一時記憶するようになっている。
【００７１】
画像メモリ６９は、ディスプレイ５３の画面５３ａに表示する地図５３ｂの画像データが記憶される。又、画像メモリ６９は、ディスプレイ５３の画面５３ａに表示する広告５３ｃの広告画像データが一時記憶される。画像プロセッサ７０は、ＣＰＵ６５からの表示制御信号に基づいて、画像メモリ６９から画像データを取り出し、画像処理を施してディスプレイ５３に地図５３ｂを表示する。又、画像プロセッサ７０は、ＣＰＵ６５からの表示制御信号に基づいて、ネットワークナビセンタ１０からＲＡＭ６８に取り込んだ広告情報ＡＤＩ（広告画像データ）を取り出し画像メモリ６９に一時記憶し画像処理を施してディスプレイ５３に広告５３ｃを表示する。
【００７２】
音声プロセッサ７１は、ＣＰＵ６５からの音声出力制御信号に基づいて情報記憶装置４４から読み出した走行案内のための音声、フレーズ、１つにまとまった文章、音等を合成してアナログ信号に変換させてスピーカ５４に出力する。又、音声プロセッサ７１は、ＣＰＵ６５からの音声出力制御信号に基づいてネットワークナビセンタ１０からＲＡＭ６８に取り込んだ広告情報ＡＤＩ（広告音声データ）をアナログ信号に変換させてスピーカ５４から広告を音声で流す。
【００７３】
通信インタフェース７２は、現在位置検出装置４３のＧＰＳ受信装置５６、ＶＩＣＳ受信装置６０、ＡＴＩＳ送受信装置６１及び携帯電話機６２と主制御装置４５との間でのデータの授受を行う。センサ入力インタフェース７３は、現在位置検出装置４３の絶対方位センサ５７、相対方位センサ５８及び距離センサ５９からのセンサ信号を取り込む。時計７４は、内部ダイアグ情報に日付や時間を記入する。
【００７４】
そして、主制御装置４５のＣＰＵ６５は、情報記憶装置４４から読み出されフラッシュメモリ６６に格納されたナビゲーションプログラムに基づいて車両用ナビゲーション装置４１本来の動作する。つまり、ＣＰＵ６５は、現在位置検出装置４３にて取得された各データに基づき一定時間毎に現在位置を算出し、一時的にＲＡＭ６８に書き込む。この算出した現在位置は、各種データの検出誤差を考慮してマップマッチング処理を行ったものである。ここで、案内経路については、ドライバーの選択、即ち、タッチスイッチ５１又はキースイッチ５２の選択操作によって、ＣＰＵ６５は画面表示、音声出力のいずれでも選択できるように処理動作するようになっている。
【００７５】
次に、車両用ナビゲーション装置４１の作用について説明する。尚、車両用ナビゲーション装置４１本来の機能である現在位置検出、地図表示、経路探索、経路案内表示等は従来と同様であるので、説明の便宜上、車両用ナビゲーション装置４１とネットワークナビセンタ１０との間の動作について説明する。
【００７６】
今、ネットワークナビセンタ１０のサーバ群２１には各広告依頼主による広告情報ＡＤＩ等が登録されている。一方、走行中の自動車１１に搭載されている車両用ナビゲーション装置４１は、一定時間毎に自車の現在位置を算出してディスプレイ５３の画面５３ａに表示された地図５３ｂ上に現在位置をカーソル５３ｄで示している。さらに、車両用ナビゲーション装置４１はタッチスイッチ５１又はキースイッチ５２の操作によって広告の提供を受けるモードに設定されている。
【００７７】
この状態において、車両用ナビゲーション装置４１のＣＰＵ６５は、広告提供プログラムに従って一定時間毎に算出した現在位置の現在位置情報ＡＰＩと走行方向の走行方向情報を、通信インタフェース７２を介して携帯電話機６２に出力する。携帯電話機６２は入力した現在位置情報ＡＰＩに応答して携帯電話基地局１４に発信し、一般電話回線網１６を介してネットワークナビセンタ１０との交信を可能にする。そして、携帯電話機６２は入力した現在位置情報ＡＰＩ及び走行方向情報をネットワークナビセンタ１０に送信する。この時、ネットワークナビセンタ１０には現在位置情報ＡＰＩ及び走行方向情報とともに携帯電話機６２の携帯電話番号やＩＰ（Internet Protocol ）アドレスも送信される。
【００７８】
ネットワークナビセンタ１０の管理サーバ２９は、データ変換装置２２を介して現在位置情報ＡＰＩ、走行方向情報、携帯電話番号及びＩＰアドレスを入力すると、広告情報配信プログラムに従ってまず入力した携帯電話番号及びＩＰアドレスに基づいてネットワークナビセンタ１０に登録されている広告情報利用者かどうか判断する。具体的には、広告依頼主・広告情報利用者サーバ２４に記憶された広告情報利用者データの携帯電話番号及びＩＰアドレスと一致する番号かどうかで判断される。
【００７９】
そして、一致する番号及びＩＰアドレスがない時には、管理サーバ２９はネットワークナビセンタ１０に登録されていない者と判断し、新たな現在位置情報ＡＰＩ等を待つ。一方、一致する番号及びＩＰアドレスがある時には、管理サーバ２９はネットワークナビセンタ１０に登録されている広告情報利用者と判断し、入力した現在位置情報ＡＰＩと走行方向情報に基づいて自動車１１が以後走行して行くと思われる１つ又は複数の走行経路を割り出す。
【００８０】
次に、管理サーバ２９は、その割り出した走行経路であって自動車１１の現在位置から予め定めた離間した位置の一定の範囲において登録した広告提供位置があるかどうか検索する。つまり、広告提供位置・広告情報サーバ２５に記憶された広告提供位置データから検索する。そして、その予め定めた一定の距離の間において広告提供位置データが１つも存在しない場合は、管理サーバ２９は広告情報配信プログラムの配信処理動作を終了して次の新たな現在位置情報ＡＰＩ等を待つ。
【００８１】
反対に、予め定めた一定の距離の間において広告提供位置データが１つ又は複数検索されると、管理サーバ２９は、それら広告提供位置における広告データ（広告画像データ及び広告音声データ）、誘導位置データ、距離データ、ポイント情報データ及び配信条件データ（提供期間データ、提供時間帯データ、年齢層データ、性別データ、自動車メーカ別データ、車種別データ及び車名データ）を広告提供位置・広告情報サーバ２５から読み出す。管理サーバ２９は、配信条件データ（提供期間データ、提供時間帯データ、年齢層データ、性別データ、自動車メーカ別データ、車種別データ及び車名データ）の条件を満たしているかどうか判断する。そして、検索された全ての広告提供位置に対する広告データが条件を満たしていない場合は、管理サーバ２９は広告情報配信プログラムの配信処理動作を終了して次の新たな現在位置情報ＡＰＩ等を待つ。
【００８２】
反対に、条件を満たした広告提供位置に対する広告データが１つでも存在すると、管理サーバ２９は条件を満たしている全ての広告提供位置における広告情報ＡＤＩ（広告提供位置データ、走行方向データ、広告画像データ、広告音声データ、誘導位置データ、距離データ及びポイント情報データ）をデータ変換装置２２及び一般電話回線網１６を介して携帯電話基地局１４に出力する。そして、携帯電話基地局１４に出力された１つ又は複数の広告情報ＡＤＩは、携帯電話基地局１４のアンテナ１５から車両用ナビゲーション装置４１の携帯電話機６２に送信される。
【００８３】
携帯電話機６２への広告情報ＡＤＩの送信が完了（広告情報配信プログラムの処理動作が終了）すると、管理サーバ２９は、広告情報課金プログラムに従って配信された広告の配信回数及びその広告の広告依頼主に対して請求する広告配信料（＝配信価格×配信回数）を演算し、その配信回数、広告配信料及び広告の配信を受ける広告情報利用者の名前を課金サーバ２６に記憶して広告情報課金プログラムの処理動作を一時終了して次の新たな現在位置情報ＡＰＩと走行方向情報を待つ。
【００８４】
尚、ネットワークナビセンタ１０の管理サーバ２９は、予め設定した支払い決済日になると、広告情報課課金プログラムに従って各広告依頼主毎に、先の支払い決済日の翌日から今回の支払い決済日までの配信した広告情報ＡＤＩの配信回数と広告配信料を課金サーバ２６から読み込み、例えば明細書を作成して当該広告依頼主に対して請求するようになっている。
【００８５】
一方、携帯電話機６２が１つ又は複数の広告情報ＡＤＩを受信すると、ＣＰＵ６５は広告提供プログラムに基づいて各広告情報ＡＤＩをＲＡＭ６８に一時記憶する。
【００８６】
ＣＰＵ６５はＲＡＭ６８に記憶された１つ又は複数の広告情報ＡＤＩと同ＣＰＵ６５が一定時間毎に算出する現在位置情報ＡＰＩ及び走行方向情報とを比較処理する。即ち、現在位置と一致する広告提供位置があるかどうか検索する。そして、現在位置と一致する広告提供位置が存在しない場合には、ＣＰＵ６５は同ＣＰＵ６５が新たな現在位置情報ＡＰＩ及び走行方向情報を算出するまで比較処理を中止し次の新たな現在位置情報ＡＰＩと走行方向情報を待つ。
【００８７】
現在位置と一致する広告提供位置が存在する場合には、ＣＰＵ６５は検索した広告提供位置データに付加した走行方向データと走行方向情報とが一致するかどうか判断する。この判断は、従来行われているマップマッチングの手法を利用し、マップサーバ２３に記憶された道路データを参照して現在自動車１１が走行している道路とその道路上での進行方向を特定し、前記走行方向データと比較して判断する。そして、走行方向が一致しない場合は、ＣＰＵ６５は前記と同様に比較処理を中止し次の新たな現在位置情報ＡＰＩと走行方向情報を待つ。
【００８８】
つまり、自動車１１が広告提供位置に到達すると、ディスプレイ５３の画面５３ａは、地図表示から広告表示に切り替わる。詳述すると、図６に示す画面５３ａ全体が地図５３ｂの表示から、図７に示す画面５３ａの右半分が地図５３ｂ、左半分が広告画像データに基づく広告５３ｃの表示に切り替わる。特に、当該広告情報ＡＤＩにおいて距離データに基づくポイント情報データでのポイント付与を行うように設定されている場合には、例えば図７に示す画面５３ａの右半分の上段に「レストラン△○、今こちらに来た方は、１ｋｍにつき１ポイントサービス」と表示する。この時、画像プロセッサ７０は、ＣＰＵ６５からの広告提供プログラムに基づく表示制御信号に基づいて広告５３ｃ上にあわせて「ＧＯ」と記されたボタン５３ｅを表示する。
【００８９】
又、ＣＰＵ６５はＲＡＭ６８からその一致した広告提供位置データに対する広告音声データを音声プロセッサ７１に出力する。音声プロセッサ７１は、ＣＰＵ６５からの音声制御信号に基づいて広告音声データを音声合成処理してスピーカ５４から音声で広告内容を流す。例えば、図７に示す広告５３ｃの表示とともに、「レストラン△○、今こちらに来た方には、１ｋｍにつき１ポイントのサービスをします。」といった内容をスピーカ５４から流す。
【００９０】
続いて、ドライバーが広告５３ｃとともに画面５３ａに表示された「ＧＯ」と記されたボタン５３ｅをタッチすると、ボタン５３ｅ位置に対応するタッチスイッチ５１がオンする。このタッチスイッチ５１のオン信号に応答して、ＣＰＵ６５は、ＲＡＭ６８に記憶したその一致した広告提供位置データに対する誘導位置データに基づいて現在位置から広告対象の所在地（誘導位置）までの経路探索を実行し、案内経路を演算する。案内経路を演算すると、ＣＰＵ６５は画像プロセッサ７０を介して画面５３ａに地図５３ｂを表示し、図８に示すようにその地図５３ｂ上に所在地（誘導位置）までの案内経路を示す指標５３ｆを表示する。
【００９１】
又、ＣＰＵ６５は画像プロセッサ７０を介して画面５３ａの左半分に「店舗まで１１ｋｍです。来られた方には１１ポイント分サービスします」と表示する。さらに、ＣＰＵ６５は音声プロセッサ７１を介して「店舗まで１１ｋｍです。来られた方には１１ポイント分サービスします」といった内容をスピーカ５４から流す。
【００９２】
ドライバーが案内経路を示す指標５３ｆに従って当該広告の所在地（誘導位置）に到達すると、ＣＰＵ６５は前記現在位置検出装置４３の検出結果と比較することで誘導位置までの案内（広告情報ＡＤＩ）に基づく移動を完了したものと認識する。そして、ＣＰＵ６５は、広告提供プログラムに従ってドライバーが広告情報ＡＤＩに基づく移動を完了したことを示す当該広告に対する広告情報利用データを前記通信インタフェース７２を介して携帯電話機６２に出力する。携帯電話機６２は、入力した広告情報利用データに応答して携帯電話基地局１４に発信し、一般電話回線網１６を介してネットワークナビセンタ１０との交信を可能にする。そして、携帯電話機６２は入力した広告情報利用データをネットワークナビセンタ１０に送信する。その後、ＣＰＵ６５は広告提供プログラムの処理動作を終了する。
【００９３】
ネットワークナビセンタ１０において広告情報利用データが受信されると、前記管理サーバ２９はポイント情報プログラムに従って前記ポイント情報サーバ２８に当該広告情報利用データ及びそのときのポイント情報データをポイント情報サーバ２８に記憶する。
【００９４】
尚、このようにしてポイント情報サーバ２８に記憶された各広告情報利用者（広告情報利用者／カード会員１）ごとの各広告情報利用データ及び対応するポイントデータは、同広告情報利用者（広告情報利用者認証データ）のＩＤコード及び広告依頼主（広告依頼主認証データ）のＩＤコードとともにインターネット１７を介してクレジットカード会社３との間で授受されるようになっている。
【００９５】
クレジットカード会社３は、図５に示すように、カード利用検出手段、関連性検出手段及び特典提供手段を構成するサーバ群８１、入力装置８２及び出力装置８３を備えている。サーバ群８１は、カード会員サーバ８４、加盟店サーバ８５、カード取引管理サーバ８６、サービスポイント管理サーバ８７及び管理サーバ８８を備えている。
【００９６】
カード会員サーバ８４は、クレジットカードを利用するカード会員（広告情報利用者／カード会員１）のカード会員データを記憶管理している。カード会員データは、名前データ、住所データ、電話番号、年齢データ、生年月日データ、性別データ、職業データ、家族データ、携帯電話番号、ＩＤコード、クレジットカード番号、取引金融機関データ及び口座番号からなる。尚、このＩＤコードは、広告情報利用者認証データのＩＤコードであって、前記ネットワークナビセンタ１０との間で共有されるものである。従って、クレジットカード会社３とネットワークナビセンタ１０との間でのカード会員（広告情報利用者／カード会員１）に係る各種情報（ポイント情報データなど）の授受においては、このＩＤコードを対応させることで当該カード会員が特定されるようになっている。
【００９７】
加盟店サーバ８５は、クレジットカードの加盟店（広告依頼主／商品・サービス提供者２）の加盟店データを記憶管理している。加盟店データは会社名・商店名データ、住所データ、電話番号、業種データ（例えば飲食業、自動車販売、コンビニ、内科、ホテルといったデータ）、代表者データ、ＩＤコード、取引金融機関データ及び口座番号からなる。尚、このＩＤコードは、広告依頼主認証データのＩＤコードであって、前記ネットワークナビセンタ１０との間で共有されるものである。従って、クレジットカード会社３とネットワークナビセンタ１０との間での加盟店（広告依頼主／商品・サービス提供者２）に係る各種情報（広告情報利用者が配信された広告情報（案内）に従ってその広告の所在地まで移動を完了したことを示す広告情報利用データなど）の授受においては、このＩＤコードを対応させることで当該加盟店が特定されるようになっている。
【００９８】
カード取引管理サーバ８６は各カード会員（広告情報利用者／カード会員１）毎に当該カード会員がクレジットカードを利用した都度の加盟店（ＩＤコード）、利用金額データ、支払方法データ及び同カード会員に対して請求する請求金額データからなるカード利用データを記憶管理している。
【００９９】
又、カード取引管理サーバ８６は、各加盟店（広告依頼主／商品・サービス提供者２）毎に、各加盟店に対して精算する精算金額データを記憶管理している。これらカード利用データ及び精算金額データは、各加盟店（広告依頼主／商品・サービス提供者２）から郵送された各カード利用代金の請求に基づき当該請求に係るカード会員のクレジットカード番号、加盟店（ＩＤコード）、利用金額データ及び支払方法データが入力装置８２を介して入力されることでカード取引管理サーバ８６に記憶される。
【０１００】
サービスポイント管理サーバ８７は、各カード会員（広告情報利用者／カード会員１）毎に当該カード会員のクレジットカードの利用状況（例えば、利用金額）に応じて同カード会員に付与される各カード会員毎のポイントデータを記憶管理している。又、サービスポイント管理サーバ８７は、ネットワークナビセンタ１０からインターネット１７を介して送信された広告情報利用データ及び各広告情報利用データごとの当該広告に設定されたポイント情報データを記憶管理している。
【０１０１】
管理サーバ８８は各サーバ８４〜８７を統括管理するサーバであって、インターネット１７を介してネットワークナビセンタ１０と接続されている。管理サーバ８８は記録媒体としての記憶部を備え、同記憶部にはカード利用料請求プログラム、カード利用料精算プログラム及びサービスポイント提供プログラムを記憶している。そして、管理サーバ８８は、このカード利用料請求プログラム、カード利用料精算プログラム及びサービスポポイント提供プログラムに従って各種演算処理動作を実行する。
【０１０２】
カード利用料請求プログラムは、前記カード取引管理サーバ８６に記憶された請求金額データを各カード会員毎に読み込み、出力装置８３を介して各カード会員毎に請求書として印字するためのプログラムである。カード利用料精算プログラムは、前記カード取引管理サーバ８６に記憶された精算金額データを各加盟店毎に読み込み、出力装置８３を介して各加盟店毎に精算書として印字するためのプログラムである。
【０１０３】
サービスポイント提供プログラムは、各カード会員毎にサービスポイント管理サーバ８７に記憶されたポイントデータ及びポイント情報データを各カード会員毎に読み込み、各カード会員毎に後述の態様で加算したものをサービスポイントデータとして同サービスポイント管理サーバ８７に記憶するためのプログラムである。又、このサービスポイント提供プログラムは、上記サービスポイントデータを出力装置８３を介して各カード会員毎にサービスポイントとして印字するためのプログラムでもある。
【０１０４】
上記管理サーバ８８により印字された請求書及びサービスポイントは、例えばカード会員に郵送される。そして、カード会員は、上記クレジットカード会社３との間で予め決めておいた銀行口座から当該請求書の金額を引き落としてもらうなどしてその利用代金を精算する。又、カード会員は、上記付与されたサービスポイントを所定の条件で蓄積し、その累計が所定数に達した場合には、例えばクレジットカード会社３から同ポイント数に見合った商品と引き替えてもらう。
【０１０５】
一方、上記管理サーバ８８により印字された精算書は、例えば加盟店に郵送される。そして、クレジットカード会社３は、加盟店との間で予め決めておいた銀行口座に手数料を除いた金額を振り込むなどしてその利用代金を精算する。
【０１０６】
次に、上記サービスポイント提供プログラムによる各カード会員毎のサービスポイントデータの演算態様について説明する。クレジットカード会社３の管理サーバ８８は、予め設定した支払い決済日になると、サービスポイント提供プログラムに従って各カード会員毎に、先の支払い決済日の翌日から今回の支払い決済日までのポイントデータ、広告情報利用データ及び対応するポイント情報データをサービスポイント管理サーバ８７から読み込む。又、管理サーバ８８は、各カード会員毎にカード利用データをカード取引管理サーバ８６から読み込む。尚、上記ポイントデータは、上記カード利用データに基づき定期的に更新されるものであるが、その扱いは従来の一般的なポイントデータと同様であるため、その詳細は省略する。
【０１０７】
続いて、管理サーバ８８は、上記広告情報利用データ及びカード利用データを比較する。具体的には、管理サーバ８８は各カード会員毎、各広告情報利用データに基づきそれぞれ当該広告の広告依頼主（広告依頼主／商品・サービス提供者２）のＩＤコード及び広告情報利用者（広告情報利用者／カード会員１）が当該広告の所在位置に移動を完了した時刻を読み込む。又、管理サーバ８８は各カード会員毎、当該カード会員（広告情報利用者／カード会員１）がクレジットカードを利用した加盟店（広告依頼主／商品・サービス提供者２）のＩＤコード及びクレジットカードを利用した時刻を読み込む。そして、管理サーバ８８は、互いに同一のＩＤコードを有する広告依頼主及び加盟店（広告依頼主／商品・サービス提供者２）に対して、広告情報利用者（広告情報利用者／カード会員１）が当該広告の所在位置に移動を完了した時刻とカード会員（広告情報利用者／カード会員１）がクレジットカードを利用した時刻とを比較する。そして管理サーバ８８は、これら時刻の差（期間）が、例えば２時間未満である場合には、広告情報利用者／カード会員１が広告情報に基づき当該広告の所在位置まで移動完了し、同位置においてクレジットカードを利用したものと判断する。すなわち、管理サーバ８８は、広告情報利用者（広告情報利用者／カード会員１）が当該広告の所在位置に移動を完了したことと同位置においてのクレジットカードの利用に関連性があるものと判断する。そして、管理サーバ８８はこのときの広告情報利用データに対応するポイント情報データをポイントデータに加算したものをサービスポイントデータとして記憶更新する。
【０１０８】
一方、管理サーバ８８は、これら時刻の差（期間）が、例えば２時間以上である場合には、広告情報利用者（広告情報利用者／カード会員１）が当該広告の所在位置に移動を完了したことと同位置においてのクレジットカードの利用に関連性がないものと判断する。
【０１０９】
このようにして管理サーバ８８は、各カード会員毎に全ての広告情報利用データ及びカード利用データを比較し、上述のように関連性があるものと判断された場合の全てのポイント情報データをポイントデータに加算したものをサービスポイントデータとして記憶更新する。そして管理サーバ８８は、該当する全ポイント情報データの加算されたサービスポイントデータを出力装置８３を介してサービスポイントとして印字する。
【０１１０】
尚、この印字されたサービスポイントは請求書とともに、例えばカード会員に郵送されることは既述のとおりである。そしてカード会員は、このサービスポイントを所定の条件で蓄積し、その累計が所定数に達した場合には、例えばクレジットカード会社３から数に見合った商品と引き替えてもらう。
【０１１１】
次に上記のように構成した実施形態の特徴を以下に記載する。
（１）本実施形態によれば、ネットワークナビセンタ１０は車両用ナビゲーション装置４１の現在位置に基づいて同車両用ナビゲーション装置４１に広告情報ＡＤＩを配信し、これにより車両用ナビゲーション装置４１はディスプレイ５３及びスピーカ５４から広告を流すようにした。この際、当該広告の示す所在位置までの移動距離に応じてカード利用に係るポイントサービスを行う了承を広告依頼主（広告依頼主／商品・サービス提供者２）との間で得ている場合には、当該広告の示す所在位置までの移動距離に応じてカード利用のポイントをサービスする旨（ポイント情報）を流すようにした。従って、広告依頼主（広告依頼主／商品・サービス提供者２）は、比較的遠くに位置する利用者（広告情報利用者／カード会員１）に対してもその移動距離に応じたカード利用に係るポイントサービスを提供することを伝えることができ、集客力を向上することができる。
【０１１２】
特に、広告情報利用者／カード会員１に伝えられた広告とポイント情報との相乗効果により、広告依頼主／商品・サービス提供者２の集客力を向上することができる。
【０１１３】
又、利用者（広告情報利用者／カード会員１）に伝えられるポイント情報は、クレジットカードの利用を前提としているため、当該広告依頼主／商品・サービス提供者２でのクレジットカードの利用を促進することができる。
【０１１４】
（２）本実施形態によれば、案内に従った広告依頼主／商品・サービス提供者２の位置までの移動完了と、同広告依頼主／商品・サービス提供者２でのクレジットカードの利用との関連性を、同広告依頼主／商品・サービス提供者２の位置までの移動完了の時刻と、同広告依頼主／商品・サービス提供者２でのクレジットカードの利用時刻との差に基づき極めて簡易に検出することができる。
【０１１５】
（３）本実施形態によれば、利用者（広告情報利用者／カード会員１）に伝えられるポイント情報は、クレジットカードの利用を前提としているため、利用者のクレジットカードの利用代金の請求に併せて極めて簡易にサービス（特典）を提供することができる。
【０１１６】
（４）本実施形態によれば、ネットワークナビセンタ１０への登録に併せてクレジットカード会社３への登録を行った利用者（広告情報利用者／カード会員１）にのみ、ポイント情報を含む広告情報ＡＤＩを配信するようにしたので、ネットワークナビセンタ１０にかかる負荷を低減することができる。
【０１１７】
（５）本実施形態によれば、広告５３ｃとともに画面５３ａに表示された「ＧＯ」と記されたボタン５３ｅをタッチすると、現在位置から広告対象の所在地（誘導位置）までの案内経路を示す指標５３ｆが画面５３ａの地図５３ｂ上に表示されるようにした。従って、ドライバーは、比較的遠くに位置する広告の所在位置に対してもこの指標５３ｆに従って走行すれば道を間違えることなく到達することができる。
【０１１８】
（６）本実施形態によれば、管理サーバ８８は予め設定した支払い決済日になると各カード会員毎に全ての広告情報利用データ及びカード利用データを比較し、広告情報利用者（広告情報利用者／カード会員１）が当該広告の所在位置に移動を完了したことと同位置においてのクレジットカードの利用との関連性を判断する。そして、管理サーバ８８は、関連性のある全ての広告情報利用データに対応するポイント情報データをポイントデータに加算してサービスポイントデータとして記憶更新するようにした。そして管理サーバ８８は、サービスポイントデータを出力装置８３を介してサービスポイントとして印字することで、この印字されたサービスポイントを請求書とともに速やかにカード会員に通知・付与することができる。
【０１１９】
（７）本実施形態によれば、ネットワークナビセンタ１０は車両用ナビゲーション装置４１の現在位置に基づいて同車両用ナビゲーション装置４１に広告情報ＡＤＩを配信し、これを車両用ナビゲーション装置４１がディスプレイ５３及びスピーカ５４から広告を流すようにしたので、広告依頼主は希望する場所に広告用看板を設置することなく車両用ナビゲーション装置４１を搭載した自動車１１のドライバー（利用者）に対して広告を提供することができる。又、ドライバーは、走行中に希望する広告を画面５３ａ及び音声で知ることができ、特に初めての道路を走行しているときは探しながら走行するといった不便さはなくなる。
【０１２０】
（８）本実施形態によれば、広告提供位置での広告の表示等は、自動車１１の走行方向が広告対象の所在地（誘導位置）に向かう方向の時に行うことができるようにしたので、広告依頼主は無駄な広告をしなくて済むとともに、ドライバーはすでに過ぎ去った所在地（誘導位置）の広告を見たり聞いたりする煩わしさはない。
【０１２１】
（９）本実施形態によれば、自動車１１の現在位置から予め定めた離間した位置の一定の範囲において広告提供位置が存在する時に、即ち、自動車１１の現在位置が広告提供位置に近づいた時にネットワークナビセンタ１０から事前に広告情報を配信するようにした。従って、車両用ナビゲーション装置４１とネットワークナビセンタ１０との間の回線を接続したままデータの授受を常時する必要がなく、ネットワークナビセンタ１０にかかる各車両用ナビゲーション装置４１に対する負荷を低減することができる。
【０１２２】
（１０）本実施形態によれば、インターネット１７を使って各広告依頼主がパソコン１８を操作するだけで、管理サーバ２９を介して広告提供位置・広告情報サーバ２５に広告提供位置、走行方向、広告画像、広告音声、誘導位置、提供期間、提供時間帯、ポイントサービスの有無等を設定できるようにした。従って、各広告依頼主はパソコン１８を操作するだけで、簡単に広告提供位置、広告内容等を設定できる。しかも、広告提供位置・広告情報サーバ２５に記憶した広告提供位置、走行方向、広告画像、広告音声、誘導位置、提供期間、提供時間帯及びポイントサービスの有無を簡単に変更することができる。
【０１２３】
尚、発明の実施の形態は、上記実施形態に限定されるものではなく、以下のように実施してもよい。
・前記実施形態では、ディスプレイ５３とスピーカ５４の両方から広告及びポイント情報を出力したが、ディスプレイ５３又はスピーカ５４のいずれか一方からのみ広告及びポイント情報を出力するようにしてもよい。
【０１２４】
・前記実施形態では、１つの広告提供位置に対して１つの広告及びポイント情報を提供する場合について説明したが、１つの広告提供位置に対して複数個の異なる広告及びポイント情報を提供できるようにしてもよい。
【０１２５】
・前記実施形態では、広告表示の後、現在位置から所在地までの案内経路を表示するための経路探索の演算は車両用ナビゲーション装置４１側で行ったが、ネットワークナビセンタ１０の管理サーバ２９で経路探索しその経路情報を車両用ナビゲーション装置４１に送信するようにしてもよい。
【０１２６】
・前記実施形態では、車両用ナビゲーション装置４１は、現在位置情報ＡＰＩと走行方向の走行方向情報を送信したが、現在位置情報ＡＰＩのみだけで走行方向を考慮しないで実施してもよい。
【０１２７】
・前記実施形態では、特典情報として移動距離に応じたサービス（ポイントサービス）の提供をする旨（ポイント情報）を伝えたが、例えば移動距離に応じたクレジットカードの利用に係る割引を伝えるようにしてもよい。尚、クレジットカードの利用に係る割引を行う場合には、例えば広告依頼主／商品・サービス提供者２に対するクレジットカード会社３の精算において、その分、手数料を割り増すようにしてもよい。
【０１２８】
・前記実施形態では、特典情報として移動距離に比例したサービス（ポイントサービス）の提供、すなわち１ｋｍ当たり１ポイントとしたが、例えば移動距離に応じて加重されるようなサービス（ポイントサービス）の提供であってもよい。又、移動距離に関わらず一律なサービス（ポイントサービス）の提供であってもよい。
【０１２９】
・前記実施形態では、案内に従った広告依頼主／商品・サービス提供者２の位置までの移動完了と、同広告依頼主／商品・サービス提供者２でのクレジットカードの利用との関連性を、同広告依頼主／商品・サービス提供者２の位置までの移動完了の時刻と、同広告依頼主／商品・サービス提供者２でのクレジットカードの利用時刻との差が２時間未満であることを条件に検出したが、この時刻差の設定は一例であり、広告依頼主／商品・サービス提供者２の業務内容・サービス内容によって適宜変更してもよい。又、例えば案内に従った広告依頼主／商品・サービス提供者２の位置までの移動完了と、同広告依頼主／商品・サービス提供者２でのクレジットカードの利用との関連性を、これら広告依頼主／商品・サービス提供者２の位置までの移動完了の日付と、同広告依頼主／商品・サービス提供者２でのクレジットカードの利用の日付に基づき検出してもよい。
【０１３０】
・前記実施形態では、ネットワークナビセンタ１０は車両用ナビゲーション装置４１の現在位置に基づいて同車両用ナビゲーション装置４１に広告情報ＡＤＩを配信し、これにより車両用ナビゲーション装置４１はディスプレイ５３及びスピーカ５４から広告及びポイント情報を流すようにした。これに対して、このような車両用ナビゲーション装置４１の現在位置に基づく広告情報ＡＤＩの配信によらず、例えば車両用ナビゲーション装置４１のＲＯＭ６７に移動距離に応じたサービス（ポイントサービス）を提供することを了承する商品・サービス提供者の店名などを予め記憶しておく。そして、ドライバーが、例えば店名を手がかりに車両用ナビゲーション装置４１により経路検索を行い、当該店までの経路案内を選択した場合に、当該店の所在位置までの移動距離とその移動距離に応じたサービス（ポイントサービス）の提供をする旨を流すようにしてもよい。この場合、上記現在位置検出装置４３により検出された経路検索が行われた時点での現在位置に基づき、当該店までの移動距離及び同移動距離に応じたポイント情報が演算される。車両用ナビゲーション装置４１による経路検索に併せてサービスの提供が伝えられるため、利用者の移動意欲が促進され、広告依頼主／商品・サービス提供者２の集客力を向上することができる。尚、経路検索が行われた時点での当該店までの移動距離がある程度以上（例えば、２０ｋｍ以上）大きくなる場合には、このようなサービスの提供を行わないように設定しておいてもよい。又、サービスの提供できる回数を１人、月に１度のみに限定してもよい。これは、過剰なサービスの提供を防止するためである。
【０１３１】
・前記実施形態では、特典情報として移動距離に応じたサービス（ポイントサービス）の提供をする旨（ポイント情報）を伝えたが、例えば広告依頼主／商品・サービス提供者２の位置までの車両用ナビゲーション装置４１による案内が行われた時間帯に応じて異なるようなポイント情報を伝えてもよい。例えば、広告依頼主／商品・サービス提供者２の位置までの車両用ナビゲーション装置４１による案内が行われた時間帯が閑散時間帯であるときには割得感のあるようなポイント情報を伝えることで、閑散時間帯における集客力を向上することができる。
【０１３２】
・前記実施形態では、クレジットカード会社３とネットワークナビセンタ１０との間をインターネット１７を介して接続したが、例えば専用線を介して接続してもよい。
【０１３３】
・前記実施形態では、広告依頼主／商品・サービス提供者２はクレジットカード会社３に対してクレジットカードの利用代金を郵送にて請求した。これに対して、これら広告依頼主／商品・サービス提供者２及びクレジットカード会社３間を専用線で接続し、この専用線を介してクレジットカードの利用代金を請求するようにしてもよい。
【０１３４】
・前記実施形態では、広告情報利用者／カード会員１のクレジットカードでの精算を前提としたシステムを採用したが、例えばデビッドカード（キャッシュカード）などでの精算（電子精算）が可能なシステムを採用してもよい。尚、この場合には、利用者及び商品・サービス提供者の口座がある各銀行がクレジットカード会社３に相当する機能（サービス提供）を行う。
【０１３５】
・前記実施形態では、移動体通信機器１２を携帯電話機６２を備えた車両用ナビゲーション装置４１であったが、携帯電話機６２に代えて現在位置情報ＡＰＩ、走行方向情報が発信でき、広告情報ＡＤＩが受信できる送受信装置（無線装置）を備えた車両用ナビゲーション装置４１に応用してもよい。
【０１３６】
・前記実施形態では、移動体通信機器１２を車両用ナビゲーション装置４１に具体化したが、ＧＰＳ装置等の現在位置検出手段を備えた携帯電話機や小型携帯情報端末（ＰＤＡ；Personal Digital Assitants）に具体化してもよい。この場合、携帯電話機を携帯している歩行者に対しても広告及びポイント情報を提供することができる。
【０１３７】
【発明の効果】
以上詳述したように、請求項１に記載の発明では、商品・サービス提供者の位置までの移動体通信機器の案内による移動完了と当該商品・サービス提供者での利用者の精算とを前提とするポイント情報データが、移動体通信機器から利用者に報知される。従って、商品・サービス提供者は、このポイント情報データの報知により集客力を向上することができる。また、確認された商品・サービス提供者の位置までの移動完了と、検出された商品・サービス提供者での利用者の精算との関連性を、同商品・サービス提供者の位置までの移動完了の時刻と、同商品・サービス提供者での利用者の精算時刻との時刻の差に基づき極めて簡易に検出することができる。
【０１４０】
請求項２に記載の発明では、ポイント情報データは経路探索が行われた時点から前記商品・サービス提供者の位置までの移動距離が長くなるほど割得感のあるものとすることで、商品・サービス提供者は比較的遠くに位置する利用者も顧客として取り込むことができ、商品・サービス提供者の集客力を更に向上することができる。
【０１４１】
請求項３に記載の発明では、ポイント情報データは広告情報が移動体通信機器に配信された時点から前記商品・サービス提供者の位置までの移動距離が長くなるほど割得感のあるものとして、これを報知することで、商品・サービス提供者は比較的遠くに位置する利用者も顧客として取り込むことができ、商品・サービス提供者の集客力を更に向上することができる。
【図面の簡単な説明】
【図１】本実施形態の移動体特典情報提供システムのしくみの概略構成図。
【図２】本実施形態の移動体特典情報提供システムのシステム構成ブロック図。
【図３】ネットワークナビセンタの構成を示すブロック図。
【図４】車両用ナビゲーション装置の構成を示すブロック回路図。
【図５】クレジットカード会社の構成を示すブロック図。
【図６】ディスプレイの画面上の地図表示を示す図。
【図７】ディスプレイの画面上の広告及びポイント情報の表示を示す図。
【図８】ディスプレイの画面の地図上に示された所在地（誘導位置）までの案内経路を示す図。
【図９】広告提供位置を選択した場合の表示状態を示す図。
【図１０】広告提供位置を範囲を選択した場合の表示状態を示す図。
【図１１】十字路の各コーナを選択した場合の四角枠の表示状態を示す図。
【符号の説明】
ＡＤＩ…広告情報、ＡＰＩ…現在位置情報、１０…ネットワークナビセンタ、１１…自動車、１２…移動体通信機器、１４…携帯電話基地局、１６…一般電話回線網、１７…インターネット、２１…サーバ群、２３…マップサーバ、２４…広告主・利用者サーバ、２５…広告提供位置・広告情報サーバ、２６…課金サーバ、２７…認証サーバ、２８…ポイント情報サーバ、２９…管理サーバ、４１…車両用ナビゲーション装置、４２…入出力装置、４３…現在位置検出装置、４４…情報記憶装置、４５…主制御装置、５３…ディスプレイ、５３ａ…画面、５３ｃ…広告、５４…スピーカ、５６…ＧＰＳ受信装置、５７…絶対方位センサ、５８…相対方位センサ、５９…距離センサ、６２…携帯電話機、６５…中央処理装置（ＣＰＵ）、６６…フラッシュメモリ、６７…ＲＯＭ、６８…ＲＡＭ、６９…画像メモリ、７０…画像プロセッサ、７１…音声プロセッサ、７２…通信インタフェース、８１…サーバ群、８４…カード会員サーバ、８５…加盟店サーバ、８６…カード取引管理サーバ、８７…サービスポイント管理サーバ、８８…管理サーバ。
【図１】
0003890862.tif 000002
【図２】
0003890862.tif 000003
【図３】
0003890862.tif 000004
【図４】
0003890862.tif 000005
【図５】
0003890862.tif 000006
【図６】
0003890862.tif 000007
【図７】
0003890862.tif 000008
【図８】
0003890862.tif 000009
【図９】
0003890862.tif 000010
【図１０】
0003890862.tif 000011
【図１１】
0003890862.tif 000012